(57)【要約】【課題】ファスナで袋体の開口部を閉じたときの密封性が高いファスナ付き収容袋を提供する。【解決手段】袋体２を２枚のシート２１，２２によって構成する。ファスナ３を第１及び第２ファスナ片４，５によって構成する。第１、第２ファスナ片４，５をシート２１，２２の各外面と対向して配置する。第１及び第２ファスナ片４の左右の両端部を袋体２の左固着部２３及び右固着部２４にそれぞれ固着する。第１ファスナ片４の第１突条４２を第２ファスナ片５の凹部５２ａに、袋体２を構成する２枚のシート２１，２２を介して出没可能に嵌め込むことにより、袋体２の開口部を閉じる。【選択図】図７
2012171635.tif 000002
【特許請求の範囲】
【請求項１】
一端部が開口した袋体と、この袋体の開口部を開閉可能に密封するファスナとを備え、上記袋体が、互いに対向して配置された２枚のフィルム状のシートの上記開口部となるべき一端部を除く周縁部を封止することによって構成され、上記ファスナが、突条が形成された第１ファスナ片と、上記突条が出没可能に嵌り込む凹部が形成された第２ファスナ片とを有し、上記突条が上記凹部に嵌り込むことによって上記袋体の開口部が封止されるファスナ付き収容袋において、
上記第２ファスナ片が、上記２枚のシートのうちの一方のシートの外面に設けられ、上記突条が上記凹部に少なくとも上記一方のシートを介して嵌り込むことを特徴とするファスナ付き収容袋。
【請求項２】
上記第１ファスナ片が、上記２枚のシートのうちの他方のシートの外面に設けられ、上記突条が上記凹部に上記２枚のシートを介して嵌り込むことを特徴とする請求項１に記載のファスナ付き収容袋。
【請求項３】
上記第１及び第２ファスナ片の両端部どうしが互いに固定され、上記第１及び第２ファスナ片の中間部どうしの間に上記袋体が挿入され、上記第１及び第２ファスナ片の互いに固着された両端部を除く上記突条の中間部が上記凹部から離脱した状態では、上記ファスナが上記袋体に対しその開口部が形成された一端部と他端部とを結ぶ方向へ移動可能であることを特徴とする請求項２に記載のファスナ付き収容袋。
【発明の詳細な説明】
【技術分野】
【０００１】
この発明は、収容袋の開口部をファスナで開閉するようにしたファスナ付き収容袋に関する。
【背景技術】
【０００２】
一般に、ファスナ付き収容袋は、下記特許文献１に記載されているように、一端部が開口した袋体と、この袋体の一端開口部を開閉するファスナとを備えている。袋体は、フィルム状をなす２枚からなるものであり、例えば長方形をなす２枚のシートを互いに重ね、四辺部のうちの三辺部どうしを互いに固着することによって構成されている。勿論、固着されていない一辺部に開口部が形成される。一方、ファスナは、第１及び第２ファスナ片を有している。第１及び第２ファスナ片は、袋体の開口部に沿って配置されており、２枚のシートの各内面にそれぞれ固着されている。第１ファスナ片には、開口部に沿って延びる突条が形成されており、第２ファスナ片には、突条と対向する凹部が形成されている。この凹部に突条を係合、離脱させることにより、袋体の開口部が開閉される。
【先行技術文献】
【特許文献】
【０００３】
【特許文献１】特開２００５−２１９７４９号公報
【発明の概要】
【発明が解決しようとする課題】
【０００４】
上記従来のファスナ付き収容袋においては、収容対象が粉状体ないしは粒状体である場合に、ファスナによる密封性が低下するという問題があった。すなわち、第１及び第２ファスナ片は、２枚のシートの各内面に設けられている。このため、例えば袋体の開口部を下方に向けてその開口部から粉状体を取り出すときには、粉状体の一部が突条の外面に付着し、あるいは凹部の内部に入り込む。この場合、突条の外面に付着した粉状体は、袋体の上下を元に戻すと、突条から落ちて袋体の内部に戻るのでほとんど問題になることはないが、凹部内に入り込んだ粉状体の一部は袋体の上下を元に戻しても凹部から落ちることがなく、その内部に留まってしまう。その状態で突条を凹部に嵌め込むと、突条の外面と凹部の内面との間に粉状体が介在するため、ファスナによる密封性が低下してしまうのである。
【課題を解決するための手段】
【０００５】
この発明は、上記の問題を解決するために、一端部が開口した袋体と、この袋体の開口部を開閉可能に密封するファスナとを備え、上記袋体が、互いに対向して配置された２枚のフィルム状のシートの上記開口部となるべき一端部を除く周縁部を封止することによって構成され、上記ファスナが、突条が形成された第１ファスナ片と、上記突条が出没可能に嵌り込む凹部が形成された第２ファスナ片とを有し、上記突条が上記凹部に嵌り込むことによって上記袋体の開口部が封止されるファスナ付き収容袋において、上記第２ファスナ片が、上記２枚のシートのうちの一方のシートの外面に設けられ、上記突条が上記凹部に少なくとも上記一方のシートを介して嵌り込むことを特徴としている。
この場合、上記第１ファスナ片が、上記２枚のシートのうちの他方のシートの外面に設けられ、上記突条が上記凹部に上記２枚のシートを介して嵌り込むことが望ましい。
また、上記第１及び第２ファスナ片の両端部どうしが互いに固定され、上記第１及び第２ファスナ片の中間部どうしの間に上記袋体が挿入され、上記第１及び第２ファスナ片の互いに固着された両端部を除く上記突条の中間部が上記凹部から離脱した状態では、上記ファスナが上記袋体に対しその開口部が形成された一端部と他端部とを結ぶ方向へ移動可能であることが望ましい。
【発明の効果】
【０００６】
上記特徴構成を有するこの発明によれば、第２ファスナ片が袋体を構成する一方のシートの外部に配置されているから、第２ファスナ片の凹部には、袋体の内部に収容された粉状体等の収容物が入り込むことがない。よって、ファスナの密封性が低下することを防止することができる。なお、袋体の開口部を閉じる際には、第１ファスナ片の突条が凹部に一方のシートを介して嵌り込む。
【図面の簡単な説明】
【０００７】
【図１】図１は、この発明の第１実施の形態を、ファスナを閉じた状態で示す正面図である。
【図２】図２は、同実施の形態の一部省略拡大平面図である。
【図３】図３は、図１のＡ−Ａ線に沿う一部省略拡大断面図である。
【図４】図４は、図３の要部の拡大図である。
【図５】図５は、ファスナ及び袋体を開いた状態で示す図４と同様の図である。
【図６】図６は、図１のＢ−Ｂ線に沿う一部省略拡大断面図である。
【図７】図７は、図６の要部の拡大図である。
【図８】図８は、図１のＣ−Ｃ線に沿う拡大断面図である。
【図９】図９は、ファスナ及び袋体を開いた状態で示す図８と同様の図である。
【図１０】図１０は、この発明の第２実施の形態を、ファスナを閉じた状態で示す正面図である。
【図１１】図１１は、同実施の形態の一部省略拡大平面図である。
【図１２】図１２は、図１０のＡ−Ａ線に沿う一部省略拡大断面図である。
【図１３】図１３は、図１０のＢ−Ｂ線に沿う拡大断面図である。
【図１４】図１４は、図１０のＣ−Ｃ線に沿う拡大断面図である。
【図１５】図１５は、ファスナ及び袋体を開いた状態で示す図９と同様の図である。
【発明を実施するための形態】
【０００８】
以下、この発明を実施するための最良の形態を、図面を参照して説明する。
図１〜図９は、この発明の第１実施の形態を示す。この実施の形態のファスナ付き収容袋１は、袋体２及びファスナ３を有している。
【０００９】
袋体２は、２枚のシート２１，２２によって構成されている。２枚のシート２１，２２は、樹脂製のフィルムからなるものであり、互いに同一形状、同一寸法を有している。この実施の形態では、シート２１，２２が長方形に形成されている。そして、２枚のシート２１，２２は、長手方向を図１の上下方向に向け配置されている。以下、説明の便宜上、収容袋１の構成を図１の上下左右を用いて説明することとする。また、図１の紙面の表裏方向を前後方向とする。
【００１０】
２枚のシート２１，２２は、前後方向に対向して配置されており、図１においてダブルハッチグを施した部分、つまり左側部どうし、右側部どうし及び下端部どうしが接着や溶着等の固着手段によって互いに固着されている。これにより、左固着部２３、右固着部２４及び下固着部２５が形成されている。そして、これらの固着部２３，２４，２５が一対のシート２１，２２に形成されることにより、上端部が開口した袋体２が構成されている。なお、各固着部２３，２４，２５の幅は、互いに同一に設定されているが、互いに異なる幅にしてもよい。
【００１１】
袋体２は、シート２１，２２の形状に対応して正面視長方形をなしている。ただし、袋体２は、必ずしも長方形にする必要がなく、正方形や三角形にしてもよく、その形状は任意である。また、袋体２は、一枚のシートを二つ折りしてその一端部と他端部とを重ねた後、重ねた部分の左右両端部どうしを固着することによって形成することも可能であり、他の方法で形成してもよい。
【００１２】
ファスナ３は、第１ファスナ４片及び第２ファスナ片５によって構成されている。第１及び第２ファスナ片４，５は、樹脂からなるものであり、射出成形法、その他の成形法によって全体が一体に成形されている。
【００１３】
第１ファスナ片４は、第１帯部４１及び第１突条（突条）４２を有している。第１帯部４１は、長方形の帯状に形成されており、その長手方向を左右方向に向けて配置されている。第１帯部４１の長さは、シート２１，２２の左右方向の幅と同一に設定されている。そして、第１帯部４１は、その一方の面（以下、背面と称し、他方の面を表面と称する。）をシート（他方のシート）２１の外面（袋体２の外面）と対向させ、かつその長手方向の両端縁をシート２１の幅方向（左右方向）の両端縁と一致させた状態で配置されている。また、第１帯部４１は、その上端縁がシート２１の上端縁に対して若干下側に離間するように配置されている。第１帯部４１の上端縁は、シート２１の上端縁と一致させてもよい。
【００１４】
第１帯部４１の厚さは、シート２１の厚さより厚くなっている。例えば、２〜５倍程度の厚さになっている。したがって、第１帯部４１の曲げ強度は、厚さが厚い分だけシート２１の曲げ強度より強くなっている。
【００１５】
図４及び図５に示すように、第１突条４２は、板部４２ａ及び頭部４２ｂを有している。板部４２ａは、断面略長方形状なしており、その厚さ方向を上下方向に向け、かつ幅方向を左右方向に向けて配置されている。板部４２ａの幅方向の一端部が、第１帯部４１の背面の上下方向の中央部に一体に形成されている。また、板部４２ａは、第１帯部４１と同一長さを有しており、第１帯部４１の長手方向（左右方向）の一端から他端まで延びている。一方、頭部４２ｂは、板部４２ａの幅方向の他端部に一体に形成されている。頭部４２ｂは、板部４２ａと同一長さを有しており、板部４２ａの長手方向一端から他端まで延びている。頭部４２ｂは、断面半円状に形成されている。そして、頭部４２ｂの弦をなす部分の中央部が、板部４２ａの幅方向の先端部に一体に設けられている。この結果、第１突条４２の断面形状が「キノコ」状になっている。
【００１６】
第２ファスナ片５は、互いに一体に形成された第２帯部５１及び第２突条５２を有している。第２帯部５１は、第１帯部４１と同一形状、同一寸法に形成されている。しかも、第２帯部５１は、その一方の面（以下、背面と称し、他方の面を表面と称する）をシート（一方のシート）２２の外面と対向させている点を除き、第１帯部４１と同様に配置されている。つまり、上下方向及び左右方向において第１帯部４１と同一位置に配置されている。したがって、第２帯部５１は、第１帯部４１と２枚のシート２１，２２を間にした状態で前後に対向している。
【００１７】
第２突条５２は、第２帯部５１のシート２２と対向する背面に第２帯部５１と一体に形成されている。第２突条５２は、第２帯部５１の幅方向の中央部に配置されており、第２帯部５１の長手方向の一端から他端まで延びている。したがって、第２突条５２は、２枚のシート２１，２２を間にした状態で第１突条４２と全長にわたって対向している。
【００１８】
第２突条５２は、断面略円形に形成されている。第２突条５２の断面形状は、他の形状にしてもよい。第１突条４２と対向する第２突条５２の一側部（第２帯部５１からシート２２側に離間した側部）には、第２突条５２の全長にわたって延びる凹部５２ａが形成されている。この凹部５２ａが形成されることにより、第２突条５２の凹部５２ａを間にして上下に対向する壁部どうしが互いに接近、離間するように、第２突条５２が弾性変形可能になっている。
【００１９】
凹部５２ａは、開口部側（シート２２側）の幅狭部５２ｂ、及び底部側（第２帯部５１側）の幅広部５２ｃを有している。幅狭部５２ｂは、第２突条５２の幅方向（上下方向）の中央部に配置されている。幅狭部５２ｂの間隔は、２枚のシート２１，２２の合計厚さの２倍の厚さと、板部４２ａの厚さとの合計厚さより所定の寸法だけ狭くなっている。したがって、２枚のシート２１，２２を板部４２ａの上面と下面とにそれぞれ重ねた状態で、それらを幅狭部５２ｂに挿入すると、幅狭部５２ｂに臨む第２突条５２の上下の壁部が、第２突条５２自体の弾性力により、上側の２枚のシート２１，２２、板部４２ａ及び下側の２枚のシート２１，２２を上下に挟持する。
【００２０】
幅狭部５２ｂの幅は、第２突条５２を弾性変形させて幅狭部５２ｂに臨む上下の壁部を互いに離間させることによって広くすることが可能である。具体的には、幅狭部５２ｂの幅は、２枚のシート２１，２２を頭部４２ｂの上面と下面とにそれぞれ重ねた状態で、それらを幅狭部５２ｂに前側から後側へ向かって挿入することができるまで広くすることが可能になっている。
【００２１】
幅広部５２ｃは、その形状が第１突条４２の頭部４２ｂの断面形状とほぼ相似である。ただし、幅広部５２ｃの寸法は、頭部４２ｂより大きくなっており、図４に示すように、袋体２を構成する２枚のシート２１，２２で包まれた頭部４２ｂを内部に収容することができるような寸法に設定されている。
【００２２】
したがって、凹部５２には、第１突条４２の板部４２ａ及び頭部４２ｂを２枚のシート２１，２２で包み込んだ状態で、その開口部から挿入可能である。図４に示すように、第１突条４２が凹部５２に挿入された状態においては、第２突条５２の上下の壁部が、板部４２ａと協働して上側の２枚のシート２１，２２及び下側の２枚のシート２１，２２を上下に挟持し、第１ファスナ片４の第１帯部４１と協働して２枚のシート２１，２２を前後方向に挟持し、さらに頭部４２ｂの弦をなす部分と協働して２枚のシート２１，２２を前後に挟持する。このように袋体２を構成する２枚のシートが４箇所で挟持されることにより、２枚のシート２１，２２が互いに押し付けられ、それによって袋体２の開口部が閉じられている。なお、この実施の形態では、頭部４２ｂの円弧状をなす部分に重ねられた２枚のシート２１，２２と幅広部５２ｃの内面の円弧状をなす部分との間に隙間が形成されているが、頭部４２ｂの円弧状をなす部分のうちの少なくとも上下方向の中央部と、これに対向する幅広部５２ｃの底面とにより、２枚のシート２１，２１を挟持するように構成してもよい。
【００２３】
第１ファスナ片４の第１帯部４１の左端部は、一方のシート２１の外面（袋体２の外面）の左端部に接着又は溶着等の手段によって固着されている。この場合、第１シート部４１の左端部は、その上下方向の全体がシート２１に固着されることなく、上下の両端部だけがシート２１に固着されている。また、第１帯部４１の左端部の上下の両端部は、その左端縁から右側に向かって所定の長さの範囲だけがシート２１に固着されており、その固着部の左右方向の長さＬ１は、シート２１，２２の左固着部２３の左右方向の幅Ｌより短くなっている。第１帯部４１の右端部は、その左端部と同様にしてシート２２の右端部に固着されている。つまり、第１帯部４１の右端部の上下の両端部がシート２２に固着されており、その固着部の長さＬ１は、右固着部２４の幅Ｌより短く設定されている。
【００２４】
第２ファスナ片５の第２帯部５１の左右の両端部は、シート２２の左右の両端部に固着されている。この固着態様は、第１帯部４１の両端部のシート２１に対する固着態様と同様である。そこで、第２帯部５１のシート２２に対する固着態様については、その説明を省略する。
【００２５】
第１ファスナ片４の第１突条４２の左端部は、シート２１，２２の左固着部２３で包まれた状態で第２ファスナ片５の凹部５２ａに挿入されている。突条４２の左端部の外面と凹部５２ａの左端部の内面とは、左固着部２３の前後の両面に接着や溶着等の固着手段によってそれぞれ固着されている。この結果、第１突条４２、シート２１，２２及び第２突条５２の各左端部どうしが互いに固着されている。
【００２６】
第１突条４２の左端部外面及び凹部５２ａの左端部内面は、その左端縁から右側に向かって所定の長さの範囲だけ左固着部２３に固着されており、その固着長さは、左固着部２３の左右方向の幅Ｌより短い長さに設定されている。特に、この実施の形態では、第１突条４２の外面及び凹部５２ａの内面の左固着部２３に対する固着長さは、第１及び第２帯状部４１，５１のシート２１，２２に対する固着長さＬ１と同一になっている。両者は、必ずしも同一長さにする必要がなく、異なる長さにしてもよい。
【００２７】
第１突条４２の右端部も、その左端部と同様にして凹部５２ａの右端部に挿入されている。そして、第１突条４２の右端部外面及び凹部５２ａの右端部内面が右固着部２４の両面にそれぞれ固着されている。その固着長さは、第１突条４２の外面及び凹部５２ａの内面の左固着部２３に対する固着長さＬ１と同一の長さに設定されている。
【００２８】
なお、第１突条４２を左右の両端部凹部５２ａの左右の両端部に左右の固着部２３，２４を介して挿入した状態では、第１突条４２の外面及び凹部５２ａの内面と、左右の固着部２３，２４との間の一部に隙間が形成される（図７参照）。この隙間に外部から異物が入り込むことを防止するために、その隙間は接着剤その他によって閉じることが望ましい。
【００２９】
図７に示すように、ファスナ２の左端部においては、第１突条４２が凹部５２ａに挿入された部分の前後方向の寸法が、第１、第２帯部４１，５２の厚さと左固着部２３の厚さ（２枚のシート２１，２２の厚さ）とを合わせた合計厚さより大きくなっている。このため、第１及び第２帯部４１，５１は、上下の固着部と第１及び第２突条４２，５２との間の部分が前後方向へ互いに離間させられている。第１及び第２突条４２，５２の離間距離は、上下の両端部から第１及び第２突条４２，５２側へ向かうにしたがって漸次大きくなっている。第１及び第２帯部４１，５１の左右の両端部は、互いに離間させることなく、その上下の両端から第２突条５２に至るまでの全体どうしを互いに固着してもよい。
【００３０】
上記のように、第１突条４２と凹部５２ａとの中間部どうし、つまり第１突条４２及び凹部５２ａの互いに固着された両端部を除く中間部どうしは、２枚のシート２１，２２を介して挿脱可能に嵌り込む。第１突条４２が凹部５２ａに嵌り込んだ状態では、２枚のシート２１，２２の内面どうしが押圧密着され、袋体２の開口部が閉じられる（図７参照）。その一方、図５に示すように、第１突条４２が凹部５２ａから脱出すると、第１突条４２を包み込んでいたシート２１の一部が元に戻って上下方向へ真っ直ぐに延びる。また、凹部５２ａ内に入り込んでいたシート２２の一部が凹部５２ａから脱出して上下方向へ真っ直ぐに延びる。しかも、２枚のシート２１，２２の左右の固着部２３，２４を除く中間部が前後方向へ互いに離間する。これにより、袋体２の開口部が開かれる。
【００３１】
ここで、袋体２を開口させた状態においては、図９に示すように、第１突条４２と凹部５２ａの左右方向の中間部のうち、互いに固着された両端部近傍では、固着された両端部から左右方向へ離間するにしたがって第１突条４２が凹部５２ａから漸次脱出する（図９には、左側の部分だけが示されている）。そして、固着部分から所定の距離（以下、遷移距離という。）Ｌ２だけ右方へ離間すると、第１突条４２全体が凹部５２ａから脱出する。遷移距離Ｌ２は、固着部２３（２４）の固着幅Ｌから固着部２３（２４）に対する突条４２及び凹部５２ａの固着長さＬ１を差し引いた長さと同等か若干短い距離に設定されている。つまり、
Ｌ１＋Ｌ２≦Ｌ
に設定されている。このような寸法関係にすると、袋体２を開口させたときには、袋体２の左右の固着部２３，２４の内側の端部（袋体２の内部に臨む端部）が、第１突条４２全体が凹部５２ａから脱出した部位より袋体２の内側に位置する。したがって、シート２１，２２のうちの袋体２の開口部を構成する中間部（固着部２３，２４を除く部分）は、第１突条４２が凹部５２ａから脱出すると、それらの間から脱出することができる。そして、シート２１，２２の中間部は、第１突条４２と凹部５２との間から脱出することにより、前後方向へ互いに離間することができ、それによって袋体２の開口部がその左右方向の全長にわたって開放される。
【００３２】
上記構成の収容袋１において、いま、第１突条４２がその全長にわたって凹部５２ａにシート２１，２２を介して嵌り込んでいるものとする。この状態では、シート２１，２２の中間部がその全長にわたって互いに押圧密接され、それによって袋体２の開口部が左右方向の全長にわたって閉じられている。
【００３３】
袋体２を開く場合には、例えばシート２１，２２の上端部の左右方向の中央部を把持して前後方向へ互いに離間させる。すると、第１突条４２がシート２１によって前方へ押され、第２突条５２がシート２２によって後方へ押される。これにより、第１突条４２が凹部５２ａから脱出する。勿論、第１突条４２が凹部５２ａから脱出するのは、第１突条４２及び凹部５２ａの固着部２３，２４に対する固着部分を除く中間部だけである。第１突条４２が凹部５２ａから脱出すると、第１突条４２の外面と凹部５２ａの内面とによって挟持されていたシート２１，２２の中間部が、図５及び図９に示すように第１突条４２及び凹部５２ａの間から脱出し、シート２１，２２が前後方向へ離間する。これにより、袋体２の開口部が開かれ、袋体２内の収容物が開口部から取り出し可能になる。
【００３４】
内容物を取り出した後、第１及び第２帯部４１，５１の上下方向の中間部を互いに接近するように前後方向へ押す。すると、第１突条４２がシート２１を介して後方へ押され、第２突条５２がシート２２を互いに前方へ押される。その後、第１及び第２帯部４１，５１をさらに押すと、第１突条４２が凹部５２ａにシート２１，２２を介して嵌り込む。勿論、第１突条４２及び凹部５２ａは、全長にわたって嵌合する。これにより、袋体２の開口部が閉じられる。
【００３５】
ここで、袋体２を開けた後、その開口部を下に向けて袋体２から内容物を取り出す場合には、第１突条４２及び凹部５２ａがシート２１，２２に対して外側（袋体２の外側）に位置しているから、粉状体等の内容物が第１突条４２の外面や凹部５２ａの内面に付着することがない。よって、袋体２を閉じたときに、粉状体等の内容物が第１突条４２の外面と凹部５２ａの内面との間に介在することがなく、袋体２を確実に密封することができる。
【００３６】
なお、袋体２の開口部を下に向けて内容物を袋体２から取り出す場合には、内容物がシート２１，２２の内面に付着する。しかし、シート２１，２２の内面は、平坦であるので、袋体２の開口部を上に向けるとシート２１，２２の開口部を構成する部分に付着した内容物は、下方に落下する。したがって、第１突条４２の外面と凹部５２ａの内面との間に粉状体等の内容物が介在することがない。よって、袋体２を密封状態にすることができる。
【００３７】
図１０〜図１５は、この発明の第２実施の形態を示す。この実施の形態のファスナ付き収容袋１Ａにおいて、ファスナ３に代えてファスナ３Ａが用いられている。ファスナ３Ａは、袋体２に対し上下方向へ移動可能に設けられている。
【００３８】
すなわち、図１０に示すように、ファスナ３Ａの長さは、袋体２の左右方向の幅より長くなっている。したがって、ファスナ３Ａを構成する第１及び第２ファスナ片４，５の長さも、袋体２の左右方向の長さより長くなっている。第１及び第２ファスナ片４，５の左右の両端部は、袋体２の左右方向の両端部から同一距離Ｌ３だけ突出させられている。第１及び第２ファスナ片４，５の左端部と右端部とは、袋体２の左右方向の両端部から互いに異なる長さだけ突出させてもよい。
【００３９】
第１及び第２ファスナ片４，５の左右の両端部が袋体２の左右の両端部から突出しているので、第１及び第２ファスナ片４，５の第１及び第２帯部４１，５１の左右の両端部も袋体２から左右方向に突出している。袋体２の左端部から突出した第１及び第２帯部４１，５１の上下の両端部は、図１４に示すように、互いに固着されている。第１及び第２帯部４１，５１の固着部の左右方向の長さＬ４（図１５参照）は、突出長さＬ３より短くなっている。袋体２の右端部から突出した第１及び第２帯部４１，５１の右端部の上下の両端部も、左端部の上下の両端部と同様にして互いに固着されている。勿論、第１及び第２帯部４１，５１の右端部の固着部の長さは、Ｌ４に設定されている。
【００４０】
ファスナ片４，５の第１及び第２突条４２，５２の両端部も袋体２の左右の両端部から突出している。そして、突出した部分における頭部４２ｂの先端部（図１４において右端部）は、凹部５２ａの底部に固着されている。また、袋体２から左右に突出した第２突条５２の両端部の先端部（ファスナ片４側の端部）は、第１帯部４１に固着されている。それらの固着部の左右方向の長さは、第１及び第２帯部４１，５２の左右の両端部の固着長さＬ４と同一長さに設定されている。第１及び第２突条４２，５２の固着長さは、必ずしも固着長さＬ４と同一長さにする必要はなく、異なる長さにしてもよい。
【００４１】
図１４から明らかなように、ファスナ３Ａの前後方向の寸法は、第１及び第２ファスナ片４，５の上下方向の中央部に第１及び第２突条４２，５２が形成されている関係上、上下方向の両端部で小さく、中央部で大きくなっている。このため、第１及び第２帯部４１，５１は、上下の固着部と第１及び第２突条４２，５２との間の部分が前後方向へ互いに離間させられている。第１及び第２突条４２，５２の離間距離は、上下の両端部から第１及び第２突条４２，５２側へ向かうにしたがって漸次大きくなっている。第１及び第２帯部４１，５１の左右の両端部は、互いに離間させることなく、その上下の両端から第２突条５２に至るまでの全体どうしを互いに固着してもよい。
【００４２】
図１５に示すように、袋体２の開口部を開くために、第１突条４２の中間部を凹部５２ａの中間部から前後方向へ離脱させる場合には、上記第１実施の形態と同様に、第１突条４２の中間部全体が凹部５２ａから離脱することがなく、第１突条４２と第２突条５２との固着部近傍では、当該固着部から左右方向の中央部側（袋体２の内側）へ離間するにしたがって第１突条４２が凹部５２ａから徐々に抜け出る。そして、固着部から所定の距離だけ離間した位置より内側においては、第１突条４２全体が凹部５２ａから離脱する。第１突条４２と第２突条５２との固着部と、第１突条４２全体が凹部５２ａから離脱する位置との間の距離をＬ５とすると、図１５に示すように、
Ｌ４＋Ｌ５≦Ｌ３
に設定されている。したがって、第１突条４２を凹部５２ａから離脱させた状態では、第１及び第２突条４２，５２の中間部どうしが前後方向に離間しており、前後方向に離間した第１及び第２突条４２，５２の中間部の左右方向の長さは、袋体２の左右方向の幅より長くなっている。そして、互いに離間した第１突条４２と第２突条５２との間に、袋体２が上下方向へ移動可能に挿入されている。
【００４３】
袋体２を構成するシート２１，２２の各外面の上隅部には、ストッパ６がそれぞれ固定されている。このストッパ６に突き当たることにより、ファスナ３Ａが袋体２から上方へ抜け出ることが阻止されている。なお、袋体２の内部には、収容物が収容されているので、ファスナ３Ａが袋体２から下方へ抜け出ることはない。そのため、袋体２の下角部には、ストッパが設けられていない。勿論、袋体２の下角部にも、ストッパを設けてもよい。
【００４４】
上記構成を有する収容袋１Ａにおいて、図１５に示すように、第１突条４２の中間部が凹部５２ａから離脱しているものとする。この状態では、袋体２の開口部が開いている。そこで、袋体２の開口部を下方に向けることにより、袋体２内の収容物を開口部から取り出すことができる。このとき、ファスナ３Ａが袋体２から下方へ抜け出ることがストッパ６によって阻止される。
【００４５】
袋体２から所望の量の収容物を取り出したら、袋体２の開口部を上方に向け、袋体２内に残っている収容物の量に応じてファスナ３Ａの位置を上下に調節する。その後、第１突条４２の中間部をその全長にわたって凹部５２ａにはめ込む。すると、上記の実施の形態と同様にして袋体２の開口部がファスナ３Ａによって閉じられる。このとき、袋体２の開口部の内面に付着した収容物が下方へ落下していること、並びに突条４１の外面及び凹部５２ａの内面に収容物が付着しないことは、上記の実施の形態と同様である。したがって、第１突条４２を凹部５２ａに嵌め込むことにより、袋体２の開口部を確実に密封することができる。
【００４６】
なお、この発明は、上記の実施の形態に限定されるものでなく、その要旨を逸脱しない範囲において各種の変形例を採用することができる。
例えば、上記の実施の形態においては、第１及び第２ファスナ片４，５の両者を袋体２の外部に配置しているが、第１突条４２を有する第１ファスナ片４については、袋体２の内部に配置してもよい。その場合には、第１ファスナ片４の第１帯部４１及び第１突条４２の左右の両端部をシート２１，２２の左右の両端部に固着してもよく、あるいは第１ファスナ片を第１突条だけで構成し、この第１突条をシート２１の内面に固着し、あるいは一体に形成してもよい。このように構成されたファスナ付き収容袋においては、第１突条が袋体２の内部に位置することになるので、袋体２の開口部を下向きにして開口部から収容物を取り出すときには、第１突条に粉状体等の収容物に付着する。しかし、粉状体が第１突条の外面に付着しているので、袋体の上下を逆にするだけで粉状体は第１突条から落下する。したがって、袋体２の開口部の密封性が損なわれることはない。
また、上記第１実施の形態においては、第１及び第２ファスナ片４，５の左右の両端部のシート２１，２２に対する固着部の長さを、袋体２の左右の固着部２３，２４の長さ（幅）より短くしているが、同一長さにしてもよい。
また、上記第１実施の形態においては、第１及び第２ファスナ片とシート２１，２２との左右方向における固着長さを、同方向におけるシート２１，２２の固着長さより短くしているが、シート２１，２２の固着長さと同等以上にしてもよい。
さらに、上記第１実施の形態においては、第１帯部４１の四隅だけをシート２１に固着し、第２帯部５１の四隅だけをシート２１に固着しているが、第１帯部４１の上下の両端部の少なくとも一方をその全長にわたってシート２１に固着し、第２帯部５１の上下の両端部の少なくとも一方をその全長にわたってシート２２に固着してもよい。また、第１帯部４１の左右の両端部をその上下方向の全長にわたってシート２１に固着し、第２帯部５１の左右の両端部をその上下方向の全長にわたってシート２２に固着してもよい。
【産業上の利用可能性】
【００４７】
この発明に係るファスナ付き収容袋は、特に粉状体や粒状体等を収容するための収容袋として利用可能である。
【符号の説明】
【００４８】
１    ファスナ付き収容袋
１Ａ    ファスナ付き収容袋
２    袋体
３    ファスナ
３Ａ    ファスナ
４    第１ファスナ片
５    第２ファスナ片
２１    シート（他方のシート）
２２    シート（一方のシート）
４２    第１突条（突条）
５２ａ    凹部
【図１】
2012171635.tif 000003
【図２】
2012171635.tif 000004
【図３】
2012171635.tif 000005
【図４】
2012171635.tif 000006
【図５】
2012171635.tif 000007
【図６】
2012171635.tif 000008
【図７】
2012171635.tif 000009
【図８】
2012171635.tif 000010
【図９】
2012171635.tif 000011
【図１０】
2012171635.tif 000012
【図１１】
2012171635.tif 000013
【図１２】
2012171635.tif 000014
【図１３】
2012171635.tif 000015
【図１４】
2012171635.tif 000016
【図１５】
2012171635.tif 000017